(57)【要約】【課題】農作物の成育に適した畝部を得ることが可能な農作業機を提供する。【解決手段】農作業機１は、耕耘体６と、耕耘体６の後方位置で凹溝部を有する複数山状の畝を成形する畝成形体13とを備える。苗の移植或いは播種を行う複数の頂部およびこの各頂部の両側方隣接位置に位置する肩凸部をそれぞれ畝の上面部に形成する回転体23を畝成形体13の後方位置に回転可能に配設する。回転体23の後方位置にマルチング手段31を配設する。【選択図】図１
2008043259.tif 000002
【特許請求の範囲】
【請求項１】
耕耘体と、
この耕耘体の後方部に配置され、上面部に畝長さ方向に長手状の凹溝部を有する複数山状の畝を成形する畝成形手段と
を備えることを特徴とする農作業機。
【請求項２】
耕耘体と、
この耕耘体の後方位置に配設され、上面部に畝長さ方向に長手状の凹溝部を有する複数山状の畝を成形する畝成形体と、
この畝成形体の後方位置に回転可能に配設され、苗の移植或いは播種が行なわれる複数の頂部およびこの各頂部の両側方隣接位置に位置する畝長さ方向に長手状で上方に向って突出状の対をなす肩凸部を前記畝の上面部に形成する回転体と
を備えることを特徴とする農作業機。
【請求項３】
凹溝部に連続して位置する肩凸部に切欠部を形成する切欠部形成手段を備える
ことを特徴とする請求項２記載の農作業機。
【請求項４】
隣合う畝間の溝底面部を均す土均し手段を備える
ことを特徴とする請求項１ないし３のいずれか一記載の農作業機。
【請求項５】
上面部に畝長さ方向に長手状の凹溝部を有する複数山状の畝を成形し、
この成形された畝を覆うようにマルチフィルムを敷設して、マルチフィルムと畝の凹溝部との間に空気溜り部を形成する
ことを特徴とする畝立マルチング方法。
【請求項６】
苗の移植或いは播種が行なわれる複数の頂部を上面部に有するとともに、上面部における各頂部の両側方隣接位置に畝長さ方向に長手状で上方に向って突出状の肩凸部を有し、かつ、畝幅方向中間位置の肩凸部に連続して位置する畝長さ方向に長手状の凹溝部を上面部に有する複数山状の畝を成形し、
この成形された畝を覆うようにマルチフィルムを敷設して、マルチフィルムと畝の凹溝部との間に空気溜り部を形成するとともにマルチフィルムと畝の頂部との間に頂部空気溜り部を形成する
ことを特徴とする畝立マルチング方法。
【請求項７】
マルチフィルムを敷設する前に、空気溜り部と頂部空気溜り部とをつなぐ切欠部を畝幅方向中間位置の肩凸部に形成する
ことを特徴とする請求項６記載の畝立マルチング方法。
【発明の詳細な説明】
【技術分野】
【０００１】
本発明は、農作物の成育に適した畝部を得ることができる農作業機および畝立マルチング方法に関するものである。
【背景技術】
【０００２】
従来、例えばロータリ耕耘体によって耕耘された耕耘土で断面台形状の畝を４列同時に成形し、この成形された４列の畝の表面部を覆うようにマルチフィルムを敷設し、この敷設されたマルチフィルムの畝溝位置に耕耘土の一部を載せるように構成した畝立マルチ装置が知られている（例えば、特許文献１参照）。
【特許文献１】実開昭５９−１４５４８号公報
【発明の開示】
【発明が解決しようとする課題】
【０００３】
しかしながら、上記従来の畝立マルチ装置を使用してマルチフィルムを各畝の表面部上にこの表面部の略全体と接触するように敷設したのでは、温度障害等により農作物の成育に問題が生じるおそれがある。
【０００４】
また、例えばカンショはかまぼこ畝で、キャベツおよびダイコン等は機械化標準栽培様式の平高畝でというように、形や畝幅が異なる畝で栽培されており、畝の形や畝幅が異なると、マルチフィルムのような栽培資材を各々揃えねばならないことはもとより、機械においても２重装備となり、例えば畝立て機では畝の形および大きさが異なるためにカンショ用と露地野菜用の２種類が必要であり、防除作業では畝幅が合わないためにトラクタも２台必要になる。
【０００５】
このようなことから、近年では、形や畝幅が異なる畝で栽培されていた野菜や畑作物等の農作物を１種類の畝で共通して栽培できるようにし、例えば栽培資材および機械の２重装備の解消による低コスト化、機械の付替・調整の不要化による高能率化・高精度化の実現が要求されている。
【０００６】
本発明は、このような点に鑑みなされたもので、農作物の成育に適した畝部を得ることができるとともに、所望形状の畝で複数種の農作物を適切に栽培でき、例えば栽培資材および機械の２重装備の解消による低コスト化、機械の付替・調整の不要化による高能率化・高精度化を実現できる農作業機および畝立マルチング方法を提供することを目的とする。
【課題を解決するための手段】
【０００７】
請求項１記載の農作業機は、耕耘体と、この耕耘体の後方部に配置され、上面部に畝長さ方向に長手状の凹溝部を有する複数山状の畝を成形する畝成形手段とを備えるものである。
【０００８】
請求項２記載の農作業機は、耕耘体と、この耕耘体の後方位置に配設され、上面部に畝長さ方向に長手状の凹溝部を有する複数山状の畝を成形する畝成形体と、この畝成形体の後方位置に回転可能に配設され、苗の移植或いは播種が行なわれる複数の頂部およびこの各頂部の両側方隣接位置に位置する畝長さ方向に長手状で上方に向って突出状の対をなす肩凸部を前記畝の上面部に形成する回転体とを備えるものである。
【０００９】
請求項３記載の農作業機は、請求項２記載の農作業機において、凹溝部に連続して位置する肩凸部に切欠部を形成する切欠部形成手段を備えるものである。
【００１０】
請求項４記載の農作業機は、請求項１ないし３のいずれか一記載の農作業機において、隣合う畝間の溝底面部を均す土均し手段を備えるものである。
【００１１】
請求項５記載の畝立マルチング方法は、上面部に畝長さ方向に長手状の凹溝部を有する複数山状の畝を成形し、この成形された畝を覆うようにマルチフィルムを敷設して、マルチフィルムと畝の凹溝部との間に空気溜り部を形成するものである。
【００１２】
請求項６記載の畝立マルチング方法は、苗の移植或いは播種が行なわれる複数の頂部を上面部に有するとともに、上面部における各頂部の両側方隣接位置に畝長さ方向に長手状で上方に向って突出状の肩凸部を有し、かつ、畝幅方向中間位置の肩凸部に連続して位置する畝長さ方向に長手状の凹溝部を上面部に有する複数山状の畝を成形し、この成形された畝を覆うようにマルチフィルムを敷設して、マルチフィルムと畝の凹溝部との間に空気溜り部を形成するとともにマルチフィルムと畝の頂部との間に頂部空気溜り部を形成するものである。
【００１３】
請求項７記載の畝立マルチング方法は、請求項６記載の畝立マルチング方法において、マルチフィルムを敷設する前に、空気溜り部と頂部空気溜り部とをつなぐ切欠部を畝幅方向中間位置の肩凸部に形成するものである。
【発明の効果】
【００１４】
請求項１に係る発明によれば、畝成形手段にてマルチフィルムとの間に空気が溜まる所望形状の畝を成形できるため、農作物の成育に適した畝部を得ることができるとともに、所望形状の畝で複数種の農作物を適切に栽培でき、例えば栽培資材および機械の２重装備の解消による低コスト化、機械の付替・調整の不要化による高能率化・高精度化を実現できる。
【００１５】
請求項２に係る発明によれば、畝成形体にて成形した畝の上面部に回転体によって頂部および肩凸部を形成することによりマルチフィルムとの間に空気が溜まる所望形状の畝を成形できるため、農作物の成育に適した畝部を得ることができるとともに、所望形状の畝で複数種の農作物を適切に栽培でき、例えば栽培資材および機械の２重装備の解消による低コスト化、機械の付替・調整の不要化による高能率化・高精度化を実現できる。
【００１６】
請求項３に係る発明によれば、凹溝部に連続して位置する肩凸部に切欠部を形成する切欠部形成手段を備えるため、農作物の成育により適した畝部を得ることができる。
【００１７】
請求項４に係る発明によれば、隣合う畝間の溝底面部を均す土均し手段を備えるため、後工程で使用される移植機や収穫機等の走行の安定化を図ることができる。
【００１８】
請求項５に係る発明によれば、マルチフィルムとの間に空気が溜まる所望形状の畝を成形できるため、農作物の成育に適した畝部を得ることができるとともに、所望形状の畝で複数種の農作物を適切に栽培でき、例えば栽培資材および機械の２重装備の解消による低コスト化、機械の付替・調整の不要化による高能率化・高精度化を実現できる。
【００１９】
請求項６に係る発明によれば、マルチフィルムとの間に空気が溜まる所望形状の畝を適切に成形できるため、農作物の成育により適した畝部を得ることができるとともに、所望形状の畝で複数種の農作物を適切に栽培でき、例えば栽培資材および機械の２重装備の解消による低コスト化、機械の付替・調整の不要化による高能率化・高精度化を実現できる。
【００２０】
請求項７に係る発明によれば、空気溜り部と頂部空気溜り部とをつなぐ切欠部を畝幅方向中間位置の肩凸部に形成するため、空気溜り部および頂部空気溜り部間での空気の流動が可能となる。
【発明を実施するための最良の形態】
【００２１】
本発明の一実施の形態を図１ないし図４を参照して説明する。
【００２２】
図１において、１は農作業機で、この農作業機１は、例えば走行車であるトラクタ（図示せず）に連結されこのトラクタの走行により畑等の圃場を前方に移動しながら畝立マルチング作業をする畝立マルチ装置である。
【００２３】
農作業機１は、トラクタの後部の３点リンク部に３点連結部（図示せず）を介して連結される機体２を備えている。
【００２４】
機体２は、ギアボックス等の入力軸保持部３を有し、この入力軸保持部３には略前後方向の入力軸４が回転可能に設けられている。入力軸４はトラクタのＰＴＯ軸に伝動シャフト等を介して連結される。
【００２５】
そして、機体２には、入力軸４側から動力を受けて所定方向に回転しながら耕耘作業をするロータリ式の耕耘体６が回転可能に設けられている。耕耘体６は、左右方向の回転軸およびこの回転軸に軸方向に沿って並設された耕耘爪等にて構成されている。また、耕耘体６の上方部は、略板状の耕耘カバー体７にて覆われている。
【００２６】
また、機体２には、耕耘体６の後方位置に配設され、耕耘体６にて耕耘されて盛り上げられた耕耘土を集積して上面部の畝幅方向中央位置に畝長さ方向に長手状で断面略Ｖ字状の凹溝部11を有する台形の２山状で断面略Ｍ字状の畝12を成形する畝成形体13が設けられている。
【００２７】
畝成形体13は、図２に示されるように、例えば板材にて構成されたもので、傾斜面状の畝側面部14を成形する２つの畝側面成形部15と、水平面状の畝上面部16を成形する２つの畝上面成形部17と、畝上面部16間に断面略Ｖ字状の凹溝部11を成形する１つの凹溝成形部18とを有している。
【００２８】
さらに、機体２には、畝成形体13の後方位置に左右水平方向の軸部20を中心として回転可能に配設され、苗の移植或いは播種が行なわれる畝長さ方向に長手状で水平面状の２つの頂部21およびこの各頂部21の両側方隣接位置に位置する畝長さ方向に長手状で上方に向って突出状の対をなす肩凸部22をそれぞれ畝12の上面部の所定部分（すなわち例えば前方の畝成形体13にて成形された畝上面部16における凹溝部11以外の部分）に形成する回転体23が設けられている。
【００２９】
回転体23は、図３に示されるように、例えば畝12の上面部に接触した状態で回転しながら移動する略円筒状のローラ部材等にて構成されたもので、軸方向両端および軸方向中央に位置する３つの径小部24と、軸方向中央の径小部24の両端に連続した２つの径大部25とを有している。なお、回転体23は、機体２の支持アーム2aにて回転自在に支持されている。
【００３０】
また、機体２には、回転体23の後方位置でマルチフィルム（透明マルチ、白色マルチ等）30を複数山状の畝12上にこの畝12の全体を覆うように複数の山例えば２つの山を跨いだ状態に敷設するマルチング手段31が設けられている。
【００３１】
マルチング手段31は、マルチフィルム30が巻戻し自在に巻き取られた左右水平方向の巻取軸32と、この巻取軸32から繰り出されるマルチフィルム30を畝12に対して押え付ける上フィルム押え輪33およびサイドフィルム押え輪34と、マルチフィルム30上に土を載せる覆土ディスク35とを有している。
【００３２】
また、図４から明らかなように、農作業機（畝立マルチ装置）１にて圃場に凸状に設けられる畝部10においては、マルチング手段31にて畝12上にマルチフィルム30が敷設されると、マルチフィルム30と畝12の凹溝部11との間に断面略三角状の空気溜り部37が形成されるとともに、マルチフィルム30と畝12の２つの頂部21との間に断面略矩形状の頂部空気溜り部38が形成される。なお、マルチフィルム30の敷設は、マルチフィルム30の幅方向両端側が畝12の両側の畝側面部14の表面に接触しかつマルチフィルム30の幅方向中央の所定部分が畝12の肩凸部22の上面に接触するように行う。
【００３３】
なお、畝成形体13と回転体23とにて、耕耘体６の後方部に配置され苗の移植或いは播種が行なわれる複数の頂部21を上面部に有するとともに上面部における各頂部21の両側方隣接位置に畝長さ方向に長手状で上方に向って突出状の対をなす肩凸部22を有しかつ畝幅方向中間位置の肩凸部22に連続して位置する畝長さ方向に長手状の凹溝部11を上面部に有する複数山状の畝12を成形する畝成形手段40が構成されている。
【００３４】
次に、上記一実施の形態の作用等を説明する。
【００３５】
農作業機１をトラクタに連結し、農作業機１をトラクタの走行により圃場を前方に移動させると、耕耘体６にて耕耘作業が行なわれ、この耕耘体６の後方位置で畝成形体13によって耕耘土が集積されて凹溝部11を有する２山状で断面略Ｍ字状の畝12が成形される（図２参照）。
【００３６】
そして、畝成形体13の後方位置では、圃場側から受ける力で従動回転する回転体23によって、畝12の畝上面部16の幅方向両端を除く部分が下方に向けて押し込まれるようにして、畝12の上面部左右両側に２つの頂部21およびこの各頂部21の両側方隣接位置に位置する２対の肩凸部22が同時に形成される（図３参照）。
【００３７】
また、回転体23の後方位置では、マルチング手段31によってマルチフィルム30が畝12上にこの畝12の全体を覆うように２つの山を跨いだ状態に敷設される。その結果、マルチフィルム30と畝12の凹溝部11との間に断面略三角状の空気溜り部37が形成されるとともに、マルチフィルム30と畝12の２つの頂部21との間に断面略矩形状の頂部空気溜り部38が形成される（図４参照）。
【００３８】
そして、このような畝部10で農作物を育てれば、農作物が温度障害を受けにくく、土壌中の有用菌類が死滅するようなこともなく、従来方法に比べて農作物を適切に成長させることができ、例えばカンショやダイコン等で増収する効果がみられる。
【００３９】
このように上記一実施の形態によれば、畝成形体13にて成形した畝12の上面部に回転する回転体23によって頂部21および肩凸部22を形成することにより、マルチフィルム30との間に空気が溜まる所望形状の畝12を成形できるため、農作物の成育に適した畝部10を得ることができるとともに、断面略Ｍ字状をなす所望形状の畝12で複数種の農作物（例えばカンショやダイコン等）を適切に栽培でき、例えば栽培資材および機械の２重装備の解消による低コスト化、機械の付替・調整の不要化による高能率化・高精度化を実現できる。
【００４０】
なお、農作業機１は、例えば図５ないし図７に示すように、複数山状の畝12の凹溝部11に連続して位置する肩凸部22、すなわち例えば畝幅方向中間に位置する内側の肩凸部（内側中間位置の肩凸部）22に、空気溜り部37と頂部空気溜り部38とを間欠的につなぐ切欠部50を畝長さ方向に間隔をおいて複数形成する切欠部形成手段51を備えたものでもよい。
【００４１】
この切欠部形成手段51は、例えば回転体23に一体的に設けられ回転体23とともに回転しながら切欠部50を形成するもので、回転体23の軸方向中央の径小部24の両端部外周面の１箇所から径方向に突出した略円弧状の突部52にて構成されている。すなわち、回転体23の径大部25の内端面の１箇所から軸方向に突出した略円弧状の突部52にて切欠部形成手段51が構成されている。そして、畝12の内側の肩凸部22に切欠部50が形成された場合、空気溜り部37および頂部空気溜り部38間での空気の流動が可能となるため、農作物をより一層適切に成長させることができる。なお、畝長さ方向に隣合う切欠部50間の間隔を小さくする場合には、図８に示すように、突部52を回転体23の軸方向中央の径小部24の両端部外周面の複数箇所、例えば２箇所から突出させるようにしてもよい。
【００４２】
また、切欠部形成手段51は、回転体23に一体的に設けられたものには限定されず、例えば図９ないし図１１に示すように、回転体23の軸方向中央の径小部24の一部に形成された非円形状の異形ローラ部である支持部24aにて下方から支持された状態で、自重で上下動しながら切欠部50を形成するものでもよい。すなわち、図９ないし図１１に示す切欠部形成手段51は、機体２の被取付部2bに左右水平方向の支軸55を介して上下回動可能に取り付けられた叩き体である回動体56にて構成されている。そして、回動体56は、例えば基端を中心として上下回動可能な略円弧状のアーム部57と、アーム部57の中間部から下方に向って突出し下端が支持部24aの外周に当接した突出部58と、アーム部57の先端に設けられ回転体23の後方位置で上下動しながら肩凸部22を叩くようにして切欠部50を形成する略板状の叩き板部59とを有している。
【００４３】
また一方、農作業機１は、畝成形体13と回転体23とにて構成された畝成形手段40を備えたものには限定されず、例えば図１２に示すように、畝成形と同時に上面部に凹状部分を形成する畝成形体13aからなる畝成形手段40を備えたものでもよい。
【００４４】
図１２に示す畝成形体13aは、図３等に示す回転体23を有さず、傾斜面状の畝側面部14を成形する２つの畝側面成形部15と、水平面状の頂部21を成形する２つの頂部成形部17aと、各頂部21の両側方隣接位置に肩凸部22を成形する４つの肩凸部成形部17bと、内側の互いに離間対向した頂部21，21間に断面略Ｖ字状の凹溝部11を成形する１つの凹溝成形部18とを有している。そして、この農作業機１では、畝成形手段40を畝成形体13aのみで構成したため、構成の簡素化が図られている。
【００４５】
また、畝成形手段40にて成形される畝12は、２つの頂部21とこれら両頂部21間の凹溝部11とを有する２山状で断面略Ｍ字状のものには限定されず、例えば図１３に示すように、３つの頂部21を上面部に有するとともに上面部における各頂部21の両側方隣接位置に畝長さ方向に長手状で上方に向って突出状の肩凸部22を有しかつ畝幅方向中間位置の肩凸部22に連続して位置する畝長さ方向に長手状で断面略Ｖ字状の凹溝部11を上面部に有する３山状の畝12を成形し、この畝12をマルチフィルム30で覆って２つの空気溜り部37および３つの頂部空気溜り部38を形成するようにしてもよい。この場合、畝12上にマルチフィルム30を敷設する前に、互いに隣合う空気溜り部37と頂部空気溜り部38とをつなぐ切欠部50を畝幅方向中間位置の肩凸部22に形成することが好ましい。
【００４６】
さらに、例えば図１４に示すように、農作業機１の耕耘体６の耕耘爪の長さを一部変更して畝12の内部の未耕部Ｘを毎年ほぼ一定に未耕とすることで、トラクタの牽引抵抗を小さくでき、作業の効率化を図ることができる。
【００４７】
また、マルチング手段31は、例えば図１５ないし図１８に示すように、隣合う畝12間の溝底面部65を均す土均し手段66を備えた構成のものでもよい。
【００４８】
図１５ないし図１８に示すマルチング手段31は、機体２のフレーム部67の後端部に上端部が取り付けられた取付フレーム68を有し、この取付フレーム68の下端部にはマルチフィルム30が巻戻し自在に巻き取られた左右方向の巻取軸32が回転可能に取り付けられている。また、取付フレーム68の中間部にはアーム71の上端部が取り付けられ、このアーム71の下端部には畝12の畝上面部に対してマルチフィルム30を押し付ける略円筒状の上フィルム押え輪33が回転可能に取り付けられている。
【００４９】
また、マルチング手段31は、機体２のフレーム部27の後端部に前端部が取り付けられた支持フレーム73を有し、この支持フレーム73の２つの下端部にはトラクタの走行により隣合う畝12間の位置を前方に移動しながらマルチフィルム30の幅方向端部上にその隣合う畝12間の溝底面部65の土を側方に移動させて載せる略円板状の左右一対の覆土ディスク35が軸部74を介して回転可能に取り付けられている。また、支持フレーム73の中間部にはアーム75の上端部が取り付けられ、このアーム75の下端部には覆土ディスク35の前方位置で畝12の畝側面部14に対してマルチフィルム30を押し付ける左右一対のサイドフィルム押え輪34が回転可能に取り付けられている。
【００５０】
さらに、図１７および図１８にも示すように、マルチング手段31の支持フレーム73の各下端部には、隣合う畝12間の溝底面部65の土を側方に移動させてその溝底面部65を均す土均し手段66がそれぞれ設けられている。
【００５１】
土均し手段66は、例えば上下方向に長手状で下端側が前方に向って略円弧状に折り曲げられた爪部材である処理刃82にて構成されている。この処理刃82の上端側が支持フレーム73の下端部のホルダ部73aに取り付けられ、この処理刃82は覆土ディスク35の後方近傍位置に配設されている。なお、処理刃82の下端部は先細状に形成され、この処理刃82の下端は覆土ディスク35の下端と略同じ高さ位置に位置する。また、処理刃82を支持フレーム73のホルダ部73aに高さ位置調節可能に取り付けてもよい。
【００５２】
そして、このようなマルチング手段31を備えた農作業機１の場合、畝成形手段40の後方位置では、マルチング手段31の巻取軸32からマルチフィルム30が繰り出され、この繰り出されたマルチフィルム30は、上フィルム押え輪33およびサイドフィルム押え輪34にて畝12の表面部に対して押え付けられるようにしてその畝12上に敷設される。この畝12上に敷設されたマルチフィルム30の幅方向両端部上には、マルチフィルム30が畝12に対して固定されるように覆土ディスク35にて溝底面部65の土が載せられる。
【００５３】
また、覆土ディスク35の後方近傍位置では、土均し手段66である処理刃82にて、隣合う畝12間の溝底面部65が略平らになるように均される。すなわち、トラクタのタイヤ９の踏圧によって硬くなった部分の上に耕耘手段である耕耘体６からの土や覆土ディスク35からの土等が盛り上げられて溝底面部65に凸部が形成されるが、この溝底面部65の凸部が処理刃82にて均される（図１６参照）。また、処理刃82の下端部にてトラクタのタイヤ９の踏圧によって硬くなった部分が切削される。
【００５４】
したがって、この農作業機１によれば、土均し手段66である処理刃82にて隣合う畝12間の溝底面部65が略平らに均されるため、溝底面部65に比較的高い山状の凸部が残存してしまうことがなく、後工程で使用される移植機や収穫機等の走行の安定化を図ることができる。すなわち例えば畝立マルチング作業後に、隣合う畝12間の溝底面部65上を走行するタイヤ等の走行部を備えた自走式の移植機を使用して苗の移植作業をする際に、移植機を安定して走行させることができ、よって適切な移植作業が可能となる。
【００５５】
なお、隣合う畝12間の溝底面部65を均す土均し手段66を処理刃82にて構成した場合について説明したが、例えば図１９および図２０に示すように、土均し手段66を寄せ板83にて構成しても同様の作用効果を奏し得る。この寄せ板83は、上端部がホルダ部73aに取り付けられた取付杆部84と、この取付杆部84の下端部に設けられた寄せ板部85とにて構成されている。
【００５６】
また、例えば図２１および図２２に示すように、土均し手段66をすき刃86にて構成しても同様の作用効果を奏し得る。このすき刃86は、上端部がホルダ部73aに取り付けられた取付杆部87と、この取付杆部87の下端部に設けられた幅広状の刃板部88とにて構成されている。
【００５７】
さらに、例えば図２３および図２４に示すように、土均し手段66を熊手状の弾性体91にて構成しても同様の作用効果を奏し得る。この弾性体91は、例えば複数本の弾性棒部材92にて構成され、これら複数本の弾性棒部材92の上端部がホルダ部73aに取り付けられている。
【００５８】
また一方、土均し手段66を覆土ディスク35を支持する支持フレーム73に取り付けて覆土ディスク35の後方近傍位置に配設した構成には限定されず、土均し手段66の取付位置および数等は任意であり、土均し手段66を覆土ディスク35の前方位置に配設した構成や、土均し手段66を複数設けた構成等でもよい。例えば図２５に示すように、土均し手段66である処理刃82を覆土ディスク35を支持する支持フレーム73のホルダ部73aとサイドフィルム押え輪34を支持するアーム75のホルダ部75aと畝成形板13のホルダ部13bとにて取り付けた構成でもよい。
【図面の簡単な説明】
【００５９】
【図１】本発明の農作業機の一実施の形態の概略側面図である。
【図２】同上農作業機の畝成形体の後面図である。
【図３】同上農作業機の回転体の後面図である。
【図４】同上農作業機により形成された畝部の斜視図である。
【図５】本発明の農作業機の他の実施の形態の回転体の後面図である。
【図６】（ａ）および（ｂ）は同上回転体に設けられた切欠部形成手段を示す図である。
【図７】同上農作業機により形成された畝部の斜視図である。
【図８】（ａ）および（ｂ）は切欠部形成手段の変形例を示す図である。
【図９】切欠部形成手段の更なる変形例を示す後面図である。
【図１０】同上切欠部形成手段の側面図である。
【図１１】同上切欠部形成手段の後面図である。
【図１２】本発明の農作業機のさらに他の実施の形態の後面図である。
【図１３】３山状の畝の断面部である。
【図１４】未耕部を示した２山状の畝の断面部である。
【図１５】土均し手段を備えた農作業機の概略側面図である。
【図１６】同上農作業機の部分後面図である。
【図１７】同上農作業機の土均し手段を示す側面図である。
【図１８】同上農作業機の土均し手段を示す後面図である。
【図１９】土均し手段の変形例を示す側面図である。
【図２０】同上土均し手段の後面図である。
【図２１】土均し手段の他の変形例を示す側面図である。
【図２２】同上土均し手段の後面図である。
【図２３】土均し手段のさらに他の変形例を示す側面図である。
【図２４】同上土均し手段の後面図である。
【図２５】土均し手段を複数取り付けた場合の概略側面図である。
【符号の説明】
【００６０】
１    農作業機
６    耕耘体
11    凹溝部
12    畝
13    畝成形体
21    頂部
22    肩凸部
23    回転体
40    畝成形手段
50    切欠部
51    切欠部形成手段
【図１】
2008043259.tif 000003
【図２】
2008043259.tif 000004
【図３】
2008043259.tif 000005
【図４】
2008043259.tif 000006
【図５】
2008043259.tif 000007
【図６】
2008043259.tif 000008
【図７】
2008043259.tif 000009
【図８】
2008043259.tif 000010
【図９】
2008043259.tif 000011
【図１０】
2008043259.tif 000012
【図１１】
2008043259.tif 000013
【図１２】
2008043259.tif 000014
【図１３】
2008043259.tif 000015
【図１４】
2008043259.tif 000016
【図１５】
2008043259.tif 000017
【図１６】
2008043259.tif 000018
【図１７】
2008043259.tif 000019
【図１８】
2008043259.tif 000020
【図１９】
2008043259.tif 000021
【図２０】
2008043259.tif 000022
【図２１】
2008043259.tif 000023
【図２２】
2008043259.tif 000024
【図２３】
2008043259.tif 000025
【図２４】
2008043259.tif 000026
【図２５】
2008043259.tif 000027